(57)【特許請求の範囲】
【請求項１】
矩形状の取付部とその取付部の４側縁から垂直に下方に延びる４面の枠部を備えた照明器具本体と、該照明器具本体に取り付けられた光源と、該光源からの光を拡散させるために前記光源を覆うように配置される照明カバーを備え、該照明カバーは、光を通すための矩形状の開口を形成したフレーム枠と、該フレーム枠に、前記開口の、光源とは反対側の端部を塞いで光を拡散、照射する照明面を形成するように取り付けられた光拡散シートを備え、前記フレーム枠は、前記光源側に、前記照明器具本体の４面の枠部に囲まれた領域に挿入して取り付けられるベース部を備え、前記光拡散シートを配置した側に、断面が先端に向かって細くなる嘴状で且つ先端がフレーム枠の最も外側にせり出すように外側に傾斜して形成された嘴部を備えており、該嘴部の先端が前記ベース部の最外面よりも外側にせり出す距離ｅは１０〜６０ｍｍであり、前記光拡散シートは、前記嘴部の先端から嘴部外面上に沿うように折り返され、周縁領域を前記フレーム枠の外面に固定することで前記フレーム枠に取り付けられていることを特徴とする照明器具。
【請求項２】
前記フレーム枠の開口に面する内面のうち、前記嘴部に形成されている領域を、前記フレーム枠の開口を塞ぐ前記光拡散シートで形成された照明面に対して３０〜４５度で傾斜させていることを特徴とする請求項１記載の照明器具。
【請求項３】
前記フレーム枠の前記嘴部外面を、前記フレーム枠の開口を塞ぐ前記光拡散シートで形成された照明面に対して５０〜７０度で傾斜させていることを特徴とする請求項１又は２記載の照明器具。
【請求項４】
請求項１から３のいずれか１項記載の照明器具を複数個、並べて配置した構成の照明装置であって、隣接した照明器具の嘴部先端の間隔ｄが０〜３０ｍｍであることを特徴とする照明装置。
【請求項５】
隣接した照明器具の枠部の先端の間に目地調整材を設けていることを特徴とする請求項４記載の照明装置。
【発明の詳細な説明】
【技術分野】
【０００１】
本発明は、天井や壁面等に設けられる照明装置に関し、特に、広い面積に配置された多数の蛍光管等の光源からの光を拡散して広い平面から柔らかい照明光を生じさせる全面一体照明を形成する照明装置及びそれに用いる照明器具に関する。
【背景技術】
【０００２】
従来より、ギャラリー等において、天井面に取り付けた多数の蛍光管を、蛍光管が視認されない柔らかい面照明にすることが望まれており、特に近年天井面の広範囲に渡り、全面一体型照明として機能できる照明装置が求められている。この要求に対し、従来の対応の一つとして、光を通すための矩形状の大きい開口を形成した金属製のフレーム枠に、前記開口を塞ぐように光拡散シートを張った構造の照明カバーを用いた照明装置が提案されている（例えば、特開２００１−３０７５３３号公報参照）。この照明カバーは、フレーム枠の開口に面する内面の、少なくとも光拡散シート近傍の領域を、光拡散シートに近づくにつれて拡がり、フレーム枠の外面に達するように傾斜させており、このため、光拡散シートがフレーム枠の外面で囲まれた面積にほぼ等しい面積に張られて照明面として作用し、きわめて広い照明面を提供できるという特性を備えている。そして、この照明カバーを多数、近接して並べることで天井の広範囲にわたる全面一体照明を形成できるという利点を有している。
【０００３】
ところが、この照明カバーを用いた照明装置は、単純な平面状の天井面に対しては、照明カバーを近接させて配置することができ、良好の全面一体照明を形成できるが、吊り天井方式の天井では、天井部にＴバー等の目地調整材が縦横に存在し、また壁面近傍には目地調整用の見切り材が存在しているため、照明カバーを取り付ける際、これらの目地調整材や見切り材を避けて照明カバーを配置しなければならず、このため、並べて配置した照明カバーの隙間が大きくなるとか、照明カバーと壁との隙間が大きくなり、幅の広い照明欠損領域が生じて見た目を悪くするという問題があった。
【特許文献１】特開２００１−３０７５３３号公報
【発明の開示】
【発明が解決しようとする課題】
【０００４】
本発明はかかる問題点に鑑みてなされたもので、目地調整材や見切り材等があっても照明欠損領域を小さくすることができるように配置可能な照明カバーを備えた照明器具及びそれを用いた照明装置を提供することを課題とする。
【課題を解決するための手段】
【０００５】
本発明は、上記課題を解決するため、照明装置を形成するために天井や壁面に並べて配置する照明器具を、矩形状の取付部とその取付部の４側縁から垂直に下方に延びる４面の枠部を備えた照明器具本体と、該照明器具本体に取り付けられた光源と、該光源からの光を拡散させるために前記光源を覆うように配置される照明カバーを備えた構成とし、その照明カバーを、光を通すための矩形状の開口を形成したフレーム枠と、該フレーム枠に、前記開口の、光源とは反対側の端部を塞いで光を拡散、照射する照明面を形成するように取り付けられた光拡散シートを備えた構成とし、更に、そのフレーム枠が、前記光源側に、前記照明器具本体の４面の枠部に囲まれた領域に挿入して取り付けられるベース部を備え、前記光拡散シートを配置した側に、断面が先端に向かって細くなる嘴状で且つ先端がフレーム枠の最も外側にせり出すように外側に傾斜して形成された嘴部を備え、該嘴部の先端が前記ベース部の最外面よりも外側にせり出す距離ｅを１０〜６０ｍｍとしておき、更に、前記光拡散シートが、前記嘴部の先端から嘴部外面上に沿うように折り返され、周縁領域を前記フレーム枠の外面に固定することで前記フレーム枠に取り付けられているという構成としたものである。
【０００６】
【０００７】
ここで、前記フレーム枠の開口に面する内面のうち、前記嘴部に形成されている領域を、前記フレーム枠の開口を塞ぐ前記光拡散シートで形成された照明面に対して３０〜４５度で傾斜させた構成とすることが好ましい。
【０００８】
更に、前記フレーム枠の前記嘴部外面を、前記フレーム枠の開口を塞ぐ前記光拡散シートで形成された照明面に対して５０〜７０度で傾斜させた構成とすることが好ましい。
【０００９】
本発明の照明装置は、前記した照明器具を複数個、並べて配置した構成とすると共に、隣接した照明器具の嘴部先端の間隔ｄを０〜３０ｍｍとしたことを特徴とするものである。
ここで、前記の照明装置において、隣接した照明器具の枠部の先端の間に目地調整材を設けておくことが好ましい。
【発明の効果】
【００１０】
本発明の照明器具は、光源を覆うように配置される照明カバーのフレーム枠に外側に傾斜した嘴部を形成しその先端に光拡散シートを張って、光を拡散、照射する面すなわち照明面としたので、照明面がきわめて広くなり、嘴部でその奥を覆い隠すことができる。このため、照明器具を並べて配置する際に、照明カバーの嘴部先端を近接させて配置しても、その背後には大きいスペースを残すことができ、そのスペース内に目地調整材や見切り材等を位置させることで、天井に目地調整材や見切り材等があっても照明面がきわめて近接した状態となるように照明器具を配置でき、照明欠損領域のきわめて小さい、見栄えの良い全面一体照明を形成できる。更に、外側に傾斜した嘴部で光拡散シートを支持しているので、光拡散シートの張りに対する強度を大きくでき、フレーム枠の肉厚を薄くして軽量化を図ることができる。照明カバーを軽量化できるので、現場での取り付け作業が容易であり、また照明カバーを支持させるための機構の強度も小さくてよく、照明器具本体の枠部に取り付ける構造とすることができる。
【００１１】
【００１２】
ここで、前記フレーム枠の開口に面する内面のうち、前記嘴部に形成されている領域を、前記フレーム枠の開口を塞ぐ前記光拡散シートで形成された照明面に対して３０〜４５度で傾斜させた構成とすると、光源からの光が嘴部先端近傍にまで良く届き、光拡散シートで形成される照明面の明るさをきわめて均等にできる。
【００１３】
更に、前記フレーム枠の前記嘴部外面を、前記フレーム枠の開口を塞ぐ前記光拡散シートで形成された照明面に対して５０〜７０度で傾斜させた構成とすると、その上に沿わせた光拡散シートに膨らみがあっても下から見えにくく、照明面の輪郭をシャープにして見栄えを良くすることができる。
【００１４】
本発明の照明装置は、隣接した照明器具の嘴部先端の間隔ｄを０〜３０ｍｍとしたことにより、照明欠損領域のきわめて小さい、見栄えの良い全面一体照明を形成できる。また、隣接した照明器具の枠部の先端の間に目地調整材を設けておくと、見栄えを一層良くすることができる。
【発明を実施するための最良の形態】
【００１５】
以下、図面に示す本発明の好適な実施の形態を説明する。図１は、天井の面照明に適用した本発明の実施の形態に係る照明装置を示すもので、（ａ）はその照明装置の照明面の概略斜視図、（ｂ）はその照明面を、一つの照明カバーを取り外す途中の状態で示す概略斜視図、図２（ａ）は図１（ａ）に示す照明装置の一つの照明器具及びその近傍を示す概略断面図、（ｂ）はその照明器具及びその近傍を、一つの照明カバーを取り外す途中の状態で示す概略断面図、図３は二つの照明器具の隣接した領域を示す概略断面図、図４は照明カバーの一部領域を拡大して示す概略断面図、図５（ａ）は図３のＡ−Ａ矢視概略断面図、図５（ｂ）は図５（ａ）と同じ領域を照明カバーの取り外し途中の状態で示す概略断面図である。図１〜図５において、全体を参照符号１で示す照明装置は、蛍光灯等の光源３とその光源３からの光を拡散させるためにその光源３を覆うように取り付けられた照明カバー４等を備えた照明器具２を、複数個近接配置し、天井に水平に配置されている支持材５に取り付けることで広い面で照明を行う構成となっている。なお、図２、図３は、建物躯体に固定された吊りボルト７に、天井面に平行となるように支持された目地調整材８をはさんで配置された照明器具２、２を示している。
【００１６】
照明器具２は、支持材５に取り付けるための矩形状の取付部２ａと、その取付部２ａの４側縁から垂直に下方に延びる４面の枠部２ｂを備えた照明器具本体を備えており、その４面の枠部２ｂの下端で囲まれた領域に照明カバー４の上端領域を挿入させて照明カバー４を取り付ける構成となっている。隣接した照明器具２、２は、照明器具本体の先端の間に目地調整材８をはさんで配置する際に、目地調整材８に干渉することがないよう、適当な距離Ｌを開けて配置されている。
【００１７】
照明カバー４は、光を通すための大きい開口１１を形成したフレーム枠１２と、そのフレーム枠１２の開口１１の、光源３とは反対側の端部（以下、先端という）に開口１１を塞いで、光を拡散、照射する照明面を形成するように取り付けられた光拡散シート１３を備えている。フレーム枠１２は全体の平面形状が正方形、長方形等の四角形状をなしている。そのフレーム枠１２の外形寸法（各辺の長さ）は、特に制限するものではないが、或る程度大きいことが経済的に有利であり、例えば、１辺の長さ（長方形にあっては長辺の長さ）を１〜３ｍ程度とすることが好ましい。フレーム枠１２の各辺は同一の断面形状に作られている。フレーム枠１２の各辺は、図３、図４から良く分かるように、軽量化のために中空構造を採っており、光源側にベース部１２Ａを備え、光拡散シート１３を配置した側に、断面が先端に向かって細くなる嘴状で且つ先端がフレーム枠の最も外側にせり出すように外側に傾斜して形成された嘴部１２Ｂを備えている。
【００１８】
フレーム枠１２の開口１１に面する内面は、開口１１の光源側の一端から嘴部１２Ｂの先端にまで滑らかにつながる凸形状で、且つ先端に向かって拡がる形状に作られており、この実施の形態では、光拡散シート１３で形成される照明面にほぼ直角な垂直面１２ａと、それに連なる凸形状の円弧面１２ｂと、それに連なり嘴部１２Ｂの先端にまで延びる傾斜面１２ｃを備えている。嘴部１２Ｂの外面は嘴部１２Ｂの先端からベース部１２Ａに向かって内側に傾斜した傾斜面１２ｄとなっており、その奥のベース部１２Ａの外面側には光拡散シート１３をクランプするためのクランプ溝１２ｅが形成され、そのクランプ溝１２ｅ内に光拡散シート１３を引き込み、その上から押縁１５をねじ１６でフレーム枠１２に固定することで光拡散シート１３を固定できる構成としている。この構成により、光拡散シート１３をフレーム枠１２の嘴部１２Ｂ先端で囲まれた開口を塞ぐように張り、嘴部１２Ｂの先端から外側の傾斜面１２ｄに沿うように折り返し、周縁部分をクランプ溝１２ｅに導き、その上から押縁１５をねじ１６によりフレーム枠１２に固定することで、光拡散シート１３を取り付けることができ、その際、フレーム枠１２の嘴部１２Ｂ先端で囲まれた開口を塞いだ部分の光拡散シート１３に適当な張力を与えておくことで、この部分の光拡散シート１３は平面を保ち、きわめて外観のよい平坦な照明面を形成できる。しかも、先端が細くなっている嘴部１２Ｂの先端に光拡散シート１３を張っているので、張られた光拡散シート１３のほぼ全域を照明面とすることができ、従って、照明カバー４の下端のほぼ全面を照明面とすることができる。
【００１９】
光拡散シート１３のフレーム枠１２に対する固定は、押縁１５をねじ１６によりフレーム枠１２に締め付けることのみで行っても良いが、本実施の形態では、更に、嘴部１２Ｂ外面の傾斜面１２ｄとその上に沿って配置された光拡散シート１３との間に両者を貼り合わせる両面テープ１８を設けている。この両面テープ１８を設けると、これがクッションの役割を果たすためか、フレーム枠１２が熱膨張や熱収縮を繰り返しても、伸びにくい光拡散シート１３にたるみやしわが生じにくく、長期間に渡って外観の良い照明面を保持できる。
【００２０】
図４において、フレーム枠１２のベース部１２Ａは、フレーム枠１２に必要な強度を確保できるように適度に広い幅Ｗに形成されており、上面には、フレーム枠を構成する枠材同志の連結や他の部材に対する連結に用いる断面略Ｃ字状の部分があり、その部分に上向きに狭い幅で開口した溝２０が形成されている。矩形状のフレーム枠１２は、４本の真っ直ぐな枠材を矩形状に配置し、隣接して直交する枠材同志を連結することにより形成される。隣接して直交する枠材同志の連結には任意の手段を採り得るが、この実施の形態では、平面形状がＬ字状のコーナープレート２１と溝２０内に挿入された受け金具２２と両者を連結するねじ２３等が用いられている。
【００２１】
図３、図４において、矩形状のフレーム枠１２のサイズは、ベース部１２Ａを照明器具２の４面の枠部２ｂで囲まれた領域に挿入可能なように定められており、後述する着脱機構２５によって、嘴部１２Ｂが図示のように枠部２ｂの下方に延び出した状態となる所定位置に取り付けられるようになっている。照明カバー４を枠部２ｂに対する所定位置に取り付けた状態では、フレーム枠１２の嘴部１２Ｂが枠部２ｂの先端よりも下方に延び出し且つフレーム枠１２の外側に傾斜していることから、嘴部１２Ｂが枠部２ｂの下方を覆い隠すこととなる。かくして、広い間隔Ｌをあけて配置された照明器具２、２に取り付けられた照明カバー４、４の下端（嘴部１２Ｂの先端）の間隔ｄは、枠部２ｂ、２ｂの間隔Ｌよりもかなり小さくなり、枠部２ｂ、２ｂの間に目地調整材８等を配置するのに必要な広いスペースを確保しながら嘴部１２Ｂ、１２Ｂの先端間に生じる照明欠損領域の幅ｄをきわめて小さくできる。ここで、フレーム枠１２の嘴部１２Ｂ先端がベース部１２Ａの最外面よりも外側にせり出す距離ｅは、許容される照明欠損領域の幅ｄとその奥に確保すべき間隔Ｌを考慮して定めればよく、具体的には、距離ｅは１０〜６０ｍｍ程度に選定することが好ましく、更には１５〜３０ｍｍ程度に選定することが一層好ましい。なお、照明欠損領域の幅ｄは０〜３０ｍｍに選定することが好ましく、更には１０〜２０ｍｍに、更には１５〜１７に選定することが一層好ましい。
【００２２】
前記したようにフレーム枠１２の嘴部１２Ｂを、先端が外側にせり出すように傾斜させているので、嘴部１２Ｂの内側に形成されている傾斜面１２ｃの、光拡散シート１３で形成される照明面に対する傾斜角度αは小さくなる。この角度αはあまり小さくなると、光拡散シート１３で形成される照明面の周縁領域（嘴部１２Ｂの先端近傍）への光量が少なくなり、中心部に比べて暗くなる。このような明るさの不均一を抑制するには傾斜角度αを或る程度以上に選定することが好ましく、具体的には、３０度以上にすることが好ましい。一方、傾斜角度αを大きくしようとすると、フレーム枠１２の高さを高くしなければならず照明カバーが大きくなる。これを避けるには傾斜角度αを或る程度以下に抑えることが好ましく、具体的には、４５度以下に、更には４０度以下に、更には３５度以下にすることが好ましい。従って、傾斜角度αは、３０〜４５度の範囲内に、更には３０〜４０度の範囲内に、更には３０〜３５度の範囲内に選定することが好ましい。
【００２３】
フレーム枠１２の内面は前記したように、垂直面１２ａ、円弧面１２ｂ及び傾斜面１２ｃで形成され、開口１１の光源側の一端から嘴部１２Ｂの先端にまで滑らかにつながる凸形状としている。このように、垂直面１２ａと傾斜面１２ｃとの間に円弧面１２ｂを介在させたことにより、垂直面１２ａと傾斜面１２ｃとを延長して直接交差させて角部を形成した場合よりも内面位置を引っ込めることができ、従って、光拡散シート１３で形成される照明面の周縁部分まで光を届かせやすくなり、更に、角部が無いので光拡散シート１３に角部の影が映るということがなく、しかも、内面全体が滑らかにつながる凸形状であって角部がないため、反射光の方向が急激に変化する領域がなく、角部がある場合にその角部の前後で反射光の方向が急激に切り替わって光拡散シート１３上に暗いライン状の影を生じさせるということを抑制できる。かくして、光拡散シート１３で形成される照明面の端部まで光を届かせることができ且つ暗いライン状の影の発生を抑制することができ、見栄えの良い照明面を得ることができる。ここで、円弧面１２ｂの半径Ｒとしては、上記した作用を良好に発揮させる上からは大きくすることが好ましいが、フレーム枠１２の構造上の制約もあるため、具体的には２０〜５０ｍｍの範囲内に、更には、２５〜４５ｍｍの範囲内に、更には３０〜４０ｍｍの範囲内に選定することが好ましい。フレーム枠１２の表面、特に内面には白色塗装を施しておくことが好ましい。これにより、フレーム枠１２が光拡散シート１３をすけて見えるということが一層なくなり、照明カバー４の照明面を一層均一として外観を良くすることができる。
【００２４】
前記したように、光拡散シート１３の取り付けに当たっては、光拡散シート１３を嘴部１２Ｂの先端から外面の傾斜面１２ｄに沿うように折り返しているので、両面テープ１８を用いない場合などにおいて折り返した後の領域に光拡散シート１３の剛性による膨らみが生じても、その膨らみは嘴部１２Ｂで隠されることとなり、下から見えることはない。このため、照明カバーを下から見た時に、照明カバー４の周縁がシャープに見え、きわめて見栄えが良い。ここで、傾斜面１２ｄの照明面に対する傾斜角度βは、光拡散シート１３の膨らみを下から見えにくくする上からは小さいことが好ましいが、構造上の制約もあることから、具体的には５０〜７０度の範囲内に、更には、５０〜６０度の範囲内に、更には５０〜５３度の範囲内に選定することが好ましい。
【００２５】
更に、上記した構造のフレーム枠１２では、光拡散シート１３を支持している嘴部１２Ｂが外側に傾斜した構造を採っているので、光拡散シート１３の引張りに対する強度が大きくなっている。更に、嘴部１２Ｂを支える背後の領域を円弧状としているので、この点からも光拡散シート１３の引張りに対する強度が大きくなっている。このため、フレーム枠１２の肉厚を薄くして軽量化を図ることができる。フレーム枠１２が軽量となるため、照明カバー４の取り付けや取り外し作業が容易となり、また照明カバーを取り付けるための機構の強度も低くすることができ、機構の簡略化を図ることができる。
【００２６】
フレーム枠１２の材質は、必要な強度を持っている限り、金属、プラスチック等任意であるが、金属製（例えば、アルミ）の押抜型材を用いることが好ましい。例えば、フレーム枠１２の各辺を押抜型材で作製し、端面を４５度に切断して突き合わせ、金属製のＬ型のコーナープレート２１を用いて連結して枠状に組み立てることでフレーム枠１２を形成できる。この構成とすることで、フレーム枠１２をねじれ等のない正確な寸法に製造、組立することができ、各辺が２ｍというような大型のフレーム枠１２をも容易に製造できる。しかも、強度、剛性が大きいため、長期間に渡って安定して使用できる。
【００２７】
フレーム枠１２に取り付ける光拡散シート１３は、適度な透光性と隠蔽性を発揮しうる光拡散性のもので且つフレーム枠１２に張って使用することができるよう適度な柔軟性、耐屈曲性を持ったものであれば任意であるが、なかでも、透光性の無機質繊維クロスに耐熱透光性樹脂シートを貼着してなる積層シートが、耐熱性、不燃性、防汚性にも優れているので好ましい。この種の積層シートにおいて、無機質繊維クロスとしては、ガラス繊維クロスが好ましく、耐熱透光性樹脂シートとしては、フッ素樹脂、シリコン樹脂等が考えられるが、フッ素樹脂が好ましく、中でも軟質フッ素樹脂が最も好ましい。軟質フッ素樹脂としては、例えば、少なくとも一種の含フッ素単量体を含む単量体と分子内に二重結合とペルオキシ結合を共に有する単量体とを共重合させて製造した、分子内にペルオキシ基を含有し、かつガラス転移温度が室温以下である含フッ素共重合体からなる幹ポリマーに、フッ化ビニリデンをクラフト重合させて得た軟質フッ素樹脂を挙げることができる。このような軟質フッ素樹脂は、「セフラルソフト」（商標）としてセントラル硝子株式会社から市販されている（「プラスチックス」１９８８年３月号参照）。
【００２８】
更に、光拡散シート１３として、ガラス繊維クロスに軟質フッ素樹脂を積層したものを用いる場合、その軟質フッ素樹脂内に中空ガラスビーズを含有させておくことが好ましい。特に、軟質フッ素樹脂に、樹脂１００重量部当たり０．５〜５重量部の中空ガラスビーズ、好ましくは屈曲率１．５〜２．１、特に１．５２〜１．５３の、平均粒度８〜１２μｍ程度の中空ガラスビーズを含有させた場合に、遮蔽性と透光性のバランスの良い積層シートが得られる。すなわち、中空ガラスビーズの割合が０．５重量部より少ないと、光拡散性が低くなり、遮蔽性が低下する。一方、中空ガラスビーズの割合が５重量部より多いと、透光性が悪くなると共に、フィルムの成形が困難になる。このように、ガラス繊維基布に中空ガラスビーズを含む軟質フッ素樹脂を積層した積層シートは、柔軟性、耐屈曲性、防汚性、耐熱性、光拡散性、不燃性に優れ、且つ透光率４０％以上、濁度９０％以上が得られ、これを光拡散シート１３として用いると、光源を良好に隠して均一に柔らかく光る照明面を形成できると共に、耐熱性、不燃性に優れ、長期間安定して使用できるという利点が得られる。
【００２９】
次に、照明カバー４を照明器具２の枠部２ｂに取り付けるための着脱機構２５を説明する。着脱機構２５は照明カバー４のフレーム枠１２を枠部２ｂに着脱可能な形態で取り付けることができるものであれば任意であるが、この実施の形態ではばねを用いたものが使用されている。すなわち、この実施の形態の着脱機構２５は、図３、図５に示すように、フレーム枠１２に取り付けられたばね保持部材２７と、そのばね保持部材２７に取り付けられたコイルばね２８であって、両端から延び出した直線部２８ａ、２８ａを備えたコイルばね２８と、枠部２ｂに取り付けられ、コイルばね２８の直線部２８ａ、２８ａを狭くした状態で挿入可能な溝２９ａを備えた係止部材２９を備えており、図５（ｂ）に示すように、コイルバネ２８の直線部２８ａ、２８ａを狭くした状態で係止部材２９の溝２９ａ内に挿入し、フレーム枠１２を更に持ち上げてゆくことで、図５（ａ）に示すように、コイルばね２８の直線部２８ａ、２８ａがばね力によってＶ字状に開き、その直線部２８ａ、２８ａが係止部材２９に引っかかることで照明カバー４を枠部２ｂに保持させることができる。また、照明カバー４の取り外しの際には、照明カバー４を引き下げることで、図５（ｂ）に示すように、コイルバネ２８の直線部２８ａ、２８ａを狭くしながら係止部材２９の溝２９ａの下方に引き出し、その後、直線部２８ａ、２８ａを指で狭めることで溝２９ａから引き抜くことができ、照明カバー４を取り外すことができる。この着脱機構２５は、照明カバー４の向かい合った２辺にそれぞれ複数個が取り付けられている。
【００３０】
上記構成の照明装置１では、図１（ａ）、図２（ａ）に示すように、多数の照明カバー４が近接して配置されており、光源３からの光を照明カバー４の光拡散シート１３が拡散させることで照明カバー４の全面が柔らかく発光したような状態となり、広い面照明を形成している。ここで、天井部分の構造上、照明器具２の間隔Ｌを或る程度大きくしなければならない場合であっても、各照明カバー４の下面に形成される照明面の間隔は小さくなっており、このため照明欠損領域が小さく、きわめて見栄えのよい面照明を提供できる。
【００３１】
なお、光源３を構成する蛍光灯等の交換等のために照明カバー４を取り外すには、図１（ｂ）、図２（ｂ）に示すように単に照明カバー４を引き下げ、図５（ｂ）に示すコイルばね２８の直線部２８ａ、２８ａを狭くして係止部材２９の溝２９ａから引き抜くことで、照明カバー４を容易に取り外すことができる。
【００３２】
以上の実施の形態では、多数の照明器具２を縦横に配置して広い面照明を構成する場合を説明したが、本発明の照明器具はこの場合に限らず、単に複数の照明器具２を１列に配置するとか、場合によっては１個の照明器具のみを用いる場合にも適用可能である。１列或いは１個の照明器具を用いる場合にも、その照明器具に設けている照明カバーの照明面を、周囲の壁面等に対してきわめて近接させて配置することができ、外観の良い照明面を形成できる。
【００３３】
以上に本発明の好適な実施の形態を説明したが、本発明はこの実施の形態に限定されるものではなく、特許請求の範囲の記載範囲内で適宜変更可能であることは言うまでもない。
【図面の簡単な説明】
【００３４】
【図１】本発明を天井の面照明に適用した実施例による照明装置を示す概略斜視図であり、（ａ）はその照明装置の照明面の概略斜視図、（ｂ）はその照明面を、一つの照明カバーを取り外す途中の状態で示す概略斜視図
【図２】（ａ）は図１（ａ）に示す照明装置の一つの照明器具及びその近傍を示す概略断面図、（ｂ）はその照明器具及びその近傍を、一つの照明カバーを取り外す途中の状態で示す概略斜視図
【図３】二つの照明器具の隣接した領域を示す概略断面図
【図４】照明カバーの一部領域を拡大して示す概略断面図
【図５】（ａ）は図３のＡ−Ａ矢視概略断面図、（ｂ）は（ａ）と同じ領域を、照明カバーの取り外し途中の状態で示す概略断面図
【符号の説明】
【００３５】
１  照明装置
２  照明器具
２ａ  取付部
２ｂ  枠部
３  光源
４  照明カバー
５  支持材
７  吊りボルト
８  目地調整材
１１  開口
１２  フレーム枠
１２Ａ  ベース部
１２Ｂ  嘴部
１２ａ  垂直面
１２ｂ  円弧面
１２ｃ  傾斜面
１２ｄ  傾斜面
１２ｅ  クランプ溝
１３  光拡散シート
１５  押縁
１６  ねじ
１８  両面テープ
２０  溝
２１  コーナープレート
２２  受け金具
２３  ねじ
２５  着脱機構
２７  ばね保持部材
２８  コイルばね
２８ａ  直線部
２９  係止部材
２９ａ  溝
【図１】
0005104193.tif 000002
【図２】
0005104193.tif 000003
【図３】
0005104193.tif 000004
【図４】
0005104193.tif 000005
【図５】
0005104193.tif 000006